(57)【要約】【課題】サッシ開口の開放性を維持しながら、サッシ枠の取り替えを簡単に実施できるようにする。【解決手段】建物開口２の内周に沿ってサッシ枠１が設置してあるサッシ設置構造において、建物開口２の内周に沿って下地枠３が設置してあり、下地枠３の開口内側に、サッシ枠１を構成する上枠部材１Ｃと下枠部材１Ｄと一対の縦枠部材１Ａ，１Ｂとが配置され、各枠部材１Ａ，１Ｂ，１Ｃ，１Ｄは、それぞれを非連結の状態で下地枠３に固定してある。【選択図】図４
2008308957.tif 000002
【特許請求の範囲】
【請求項１】
建物開口の内周に沿ってサッシ枠が設置してあるサッシ設置構造であって、
前記建物開口の内周に沿って下地枠が設置してあり、前記下地枠の開口内側に、前記サッシ枠を構成する上枠部材と下枠部材と一対の縦枠部材とが配置され、前記各枠部材は、それぞれを非連結の状態で前記下地枠に固定してあるサッシ設置構造。
【請求項２】
前記各枠部材は、前記下地枠に対して着脱自在に固定してある請求項１に記載のサッシ設置構造。
【請求項３】
建物開口の内周に沿って設置自在なサッシであって、
前記建物開口の内周に沿って設置自在な下地枠と、前記下地枠の開口の内周に沿って設置自在なサッシ枠とを備えて構成してあり、前記サッシ枠は、上枠部材と下枠部材と一対の縦枠部材とを備えて構成され、前記各枠部材は、それぞれを非連結の状態で前記下地枠に固定されているサッシ。
【発明の詳細な説明】
【技術分野】
【０００１】
本発明は、建物開口の内周に沿ってサッシ枠が設置してあるサッシ設置構造、及び、サッシに関する。
【背景技術】
【０００２】
従来、建物開口に設置するサッシ枠１は、図７に示すように、上枠部材１Ｃと下枠部材１Ｄと左右の縦枠部材１Ａ，１Ｂとを矩形形状に組んで、端部どうしの接合部をサッシ枠１の外周側からビス止めして形成されている。
また、各枠部材の開口内側周面には、例えば、戸車の目隠しやレールや風除けや雨じまい等の突条４が長手方向に沿ってそれぞれ設けられており、複雑な形状となっている。
そして、この種のサッシ設置構造としては、サッシ枠１の外周部を、建物開口周囲の躯体にモルタル等で頑丈に固定されていることが多い（例えば、特許文献１参照）。
【０００３】
【特許文献１】特開２００５−２８２０４２号公報（図３）
【発明の開示】
【発明が解決しようとする課題】
【０００４】
近年、建物の建て替えに比べて経済的負担が少ないリフォームが見直されており、例えば、壁紙や床等の改装の他、防音性能や断熱性能の向上を期待できるサッシのリフォームも盛んに実施されるようになってきている。
しかしながら、サッシのリフォームに当たっては、取り替える新しいサッシ戸の厚み寸法や間隔寸法が、設置されていたリフォーム以前のものと異なっていることがあり、その場合には、サッシ枠のレール間隔が新しいサッシ戸の戸車間隔に合わなかったり、風除けが新しいサッシ戸の端面に突き当たる等の障害が発生する危険性があり、サッシ枠に関しても、新しいサッシ戸に合った寸法のものが必要となり、必然的に、サッシ枠も新しいものに付け替えざるを得なくなる。
上述した従来のサッシ設置構造によれば、サッシ枠の外周部を、建物開口周囲の躯体にモルタル等で頑丈に固定されているから、サッシ枠を取り替えるには、外周のコンクリートやモルタルを斫る作業が必要で、手間と時間と費用が掛かると共に、作業に伴って騒音が発生するという問題点がある。
このような問題点を解消するには、設置されているサッシ枠をそのまま残し、その内側に、一回り小さい寸法の新しいサッシ枠を設置することが考えられるが、その場合には、サッシ開口面積が、リフォーム前の開口面積より一回り小さくなり、開放性に欠けると共に美観上好ましくない。
【０００５】
従って、本発明の目的は、上記問題点を解消し、サッシ開口の開放性を維持しながら、サッシ枠の取り替えを簡単に実施できるサッシ設置構造、及び、サッシを提供するところにある。
【課題を解決するための手段】
【０００６】
本発明の第１の特徴構成は、建物開口の内周に沿ってサッシ枠が設置してあるサッシ設置構造において、前記建物開口の内周に沿って下地枠が設置してあり、前記下地枠の開口内側に、前記サッシ枠を構成する上枠部材と下枠部材と一対の縦枠部材とが配置され、前記各枠部材は、それぞれを非連結の状態で前記下地枠に固定してあるところにある。
【０００７】
本発明の第１の特徴構成によれば、建物開口の内周に沿って下地枠が設置してあり、下地枠の開口内側に、サッシ枠を構成する上枠部材と下枠部材と一対の縦枠部材とが配置され、各枠部材は、それぞれを非連結の状態で下地枠に固定してあるから、例えば、リフォームのように、新しいサッシ枠に取り替えるような場合でも、下地枠を残したまま、各枠部材を取り替えるだけの簡単な手間で作業を行うことができる。
従って、枠の外周のコンクリートやモルタルを斫る必要がなく、サッシ枠取り替え手間の軽減、取り替え作業の迅速化、取り替えコストの低減を叶えることができると共に、作業に伴う騒音の発生も防止できる。
また、旧サッシ枠に新サッシ枠を取り替えるわけであるから、従来のように、サッシ開口が狭くなることを防止でき、サッシ開口の開放性を維持することもできる。
【０００８】
本発明の第２の特徴構成は、前記各枠部材は、前記下地枠に対して着脱自在に固定してあるところにある。
【０００９】
本発明の第２の特徴構成によれば、本発明の第１の特徴構成による上述の作用効果を叶えることができるのに加えて、各枠部材は、前記下地枠に対して着脱自在に固定してあるから、必要に応じて各枠部材を下地枠から取り外したり取り付けたりすることが可能となる。即ち、上述のようなサッシのリフォーム工事等の際に、各枠部材単位で新しいものに取り替えることができる他、一部の枠部材のみを交換するといったことも可能となる。
従って、サッシのリフォームをも含めたメンテナンスを良好に実施することが可能となる。
【００１０】
本発明の第３の特徴構成は、建物開口の内周に沿って設置自在なサッシにおいて、前記建物開口の内周に沿って設置自在な下地枠と、前記下地枠の開口の内周に沿って設置自在なサッシ枠とを備えて構成してあり、前記サッシ枠は、上枠部材と下枠部材と一対の縦枠部材とを備えて構成され、前記各枠部材は、それぞれを非連結の状態で前記下地枠に固定されているところにある。
【００１１】
本発明の第３の特徴構成によれば、例えば、リフォームのように、新しいサッシ枠に取り替えるような場合でも、下地枠を残したまま、各枠部材を取り替えるだけの簡単な手間で作業を行うことができる。
従って、枠の外周のコンクリートやモルタルを斫る必要がなく、サッシ枠取り替え手間の軽減、取り替え作業の迅速化、取り替えコストの低減を叶えることができると共に、作業に伴う騒音の発生も防止できる。
また、サッシ開口が狭くなることを防止でき、サッシ開口の開放性を維持することもできる。
【発明を実施するための最良の形態】
【００１２】
以下に本発明の実施の形態を図面に基づいて説明する。尚、図面において従来例と同一の符号で表示した部分は、同一又は相当の部分を示している。
【００１３】
図１、図２は、本発明のサッシ設置構造を採用した建物開口２を示している。
前記建物開口２には、その内周に沿って下地枠３が設置してあり、その下地枠３の開口内側に、サッシ枠１が固定してある。
【００１４】
当該建物Ｂは、本実施形態においては、マンション等の集合住宅を例に挙げており、例えば、通常の窓や掃き出し窓のような建物開口２に、モルタル等で固着されている前記下地枠３を介してサッシ枠１が取り付けてある。
尚、前記下地枠３は、当該実施形態においては、過去のサッシリフォームの際に、建物開口２に固着したまま下地枠として残された古いサッシ枠である。
そして、現在のサッシ枠１は、今後のサッシリフォームの際に、新しいものと取り替えることもできるように構成されている。
【００１５】
前記下地枠３は、図４に示すように、建物開口２の両側縁に位置する一対の縦枠部材３Ａ，３Ｂと、前記建物開口２の上縁に位置する上枠部材３Ｃと、前記建物開口２の下縁に位置する下枠部材３Ｄとが額縁状に一体化された状態で建物に固着されている。
尚、過去のリフォーム前の状態では、それぞれの枠部材３Ａ，３Ｂ，３Ｃ，３Ｄの開口内側周面に、例えば、戸車の目隠し、レール、風除け、雨じまい等の突条４が長手方向に沿って設けられていたが、過去のリフォームに先立って、一部の突条は取り除かれており、両縦枠部材３Ａ，３Ｂ、上枠部材３Ｃに関しては、建物開口２の奥行き方向での両端側縁部にのみ、突条４が残されている。また、下枠部材３Ｄに関しては、レールのみ取り除かれている。
従って、両縦枠部材３Ａ，３Ｂ、上枠部材３Ｃの開口内側周面には、建物開口２の奥行き方向での両側縁部に残っている両突条４に挟まれた凹溝Ｄが形成されている。
そして、この凹溝Ｄ内に、前記サッシ枠１が嵌り込む状態に設置されている。
【００１６】
前記サッシ枠１は、下地枠３の一対の前記縦枠部材３Ａ，３Ｂの開口内側に沿わせて位置させる一対の縦枠部材１Ａ，１Ｂと、前記上枠部材３Ｃの開口内側に沿わせて位置させる上枠部材１Ｃと、前記下枠部材３Ｄの開口内側に沿わせて位置させる下枠部材１Ｄとを備えて構成されている。そして、各枠部材１Ａ，１Ｂ，１Ｃ，１Ｄは、それぞれどうしを非連結の状態で前記下地枠３に対して着脱自在な状態に固定してある。
尚、両下枠部材１Ｄ，３Ｄの間には、ビス止め用長尺部材５を介在させてある。そして、前記縦枠部材１Ａ，１Ｂと上枠部材１Ｃとは、下地枠３に対して、直接的にビス固定してあるのに対して、下枠部材１Ｄは、前記長尺部材５を介して下地枠３に固定されている。具体的には、図１に示すように、下地枠３の下枠部材３Ｄの底面部３Ｄａ上に前記長尺部材５は配置された状態で、下枠部材３Ｄの立ち上がり壁３Ｄｂ部分に対して横向きのビスで固定されている。また、長尺部材５の上に配置されたサッシ枠１の下枠部材１Ｄは、前記底面部３Ｄａに達しない短い縦向きのビスで、前記長尺部材５に対して固定されている。
前記下枠部材１Ｄ，３Ｄは、他の枠部材に比べて特に水が接触し易い部位に設置されているから、ビス穴を通した建物躯体側への漏水の危険性が高いが、上述の固定構造を採用していることによって、下枠部材３Ｄの底面部３Ｄａにビス穴を設ける必要が無くなり、漏水防止を図り易くなっている。
尚、前記長尺部材５は、ビス止め用の機能に加えて、下枠部材１Ｄに作用する荷重を受けて支持する機能をも備えている。
【００１７】
前記下枠部材１Ｄは、底面部１Ｄａを、室内側から室外側にかけて下る階段状に形成してあり、そこには、長手方向に沿った一対のレール６Ａが開口奥行き方向に間隔をあけてそれぞれ一体に形成されている。
また、下枠部材１Ｄは、その長さ寸法を、前記下地枠３の開口幅のほぼ全長にわたる寸法に設定してある。そして、両端部に関しては、前記縦枠部材１Ａ，１Ｂの下端部が載置状態に設置できるように前記レール６Ａの無い構造に構成されている。
【００１８】
前記縦枠部材１Ａ，１Ｂは、図２に示すように、溝形形状の断面に形成されており、溝底面部１Ａａ，１Ｂａには、サッシ戸Ｓの縁部の表裏側に各別に位置する一対の風除け６Ｂが開口奥行き方向に間隔をあけてそれぞれ一体に形成されている。
また、縦枠部材１Ａ，１Ｂは、その長さ寸法を、前記下地枠３の開口高さから前記下枠部材１Ｄの高さ寸法を差し引いた寸法に設定してある。そして、下端部に関しては、前記下枠部材１Ｄの階段状の形状に沿う形状に端面加工してある。そして、下地枠３の内側へ設置する際には、下枠部材１Ｄの端部の底面部１Ｄａ上に合わせ目止水用のシールゴムＧを設けた状態で（図４参照）、その上に縦枠部材１Ａ，１Ｂの下端面が押し当たる状態に設置することで、両者の合わせ目部分の止水性を向上させることができる。
【００１９】
前記上枠部材１Ｃは、図１に示すように、溝形形状の断面に形成されており、溝底面部１Ｃａには、長手方向に沿った一対のレール６Ａが開口奥行き方向に間隔をあけてそれぞれ一体に形成されている。
また、上枠部材１Ｃは、その長さ寸法を、前記下地枠３の開口幅から前記縦枠部材１Ａ，１Ｂ１Ｄそれぞれの幅寸法を差し引いた寸法に設定してある。そして、両端部には、図４に示すように、風除け６Ｂを飲み込む切欠き部Ｋが、各別に形成してある。
【００２０】
次に、前記サッシ枠１のリフォーム方法について順を追って説明する。
［１］サッシ枠１からサッシ戸Ｓを外す（図３参照）。
［２］固定用ビスを外して、下地枠３から、各枠部材１Ａ，１Ｂ，１Ｃ，１Ｄ、及び、長尺部材５をそれぞれ取り外す（図４参照）。
［３］新サッシ枠７用の長尺部材８を、下地枠３に固定すると共に、新サッシ枠７の各枠部材７Ａ，７Ｂ，７Ｃ，７Ｄを、下地枠３にビス固定する（図５参照）。
［４］新サッシ戸ＳＳを、新サッシ枠７に取り付ける（図６参照）。
以上の手順によってサッシ枠１を新サッシ枠７に簡単にリフォームすることができる。
【００２１】
当該サッシ設置構造によれば、
例えば、現状のサッシ戸Ｓ・サッシ枠１を、新しいサッシ戸ＳＳ・サッシ枠７に取り替えるようなサッシリフォームを実施する場合でも、下地枠を残したまま、各枠部材を取り替えるだけの簡単な手間で作業を行うことができ、作業に伴う騒音の抑制を図りながら、サッシ枠取り替え手間の軽減、取り替え作業の迅速化、取り替えコストの低減を叶えることができる。そして、建物開口２そのものが狭まることなく、リフォーム前と変わらぬ開口広さを維持でき、良好な意匠性を得ることが可能となる。
【００２２】
〔別実施形態〕
以下に他の実施の形態を説明する。
【００２３】
〈１〉  前記下地枠３やサッシ枠１に関しては、その寸法設定、突合せ部構造、組立順序等は、先の実施形態で説明したものに限るものではなく、適宜変更が可能である。
〈２〉  また、下地枠３は、先の実施形態で説明した旧サッシ枠で構成してあるものに限るものではなく、新築時に、専用の下地枠３として構成してあってもよい。そして、建物開口２への下地枠３の固定は、モルタルに限らず、ビスやアンカー等で固定するものであってもよい。
【００２４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２５】
【図１】サッシ設置構造を示す側面視断面図
【図２】サッシ設置構造を示す上面視断面図
【図３】サッシの取り替え手順を示す斜視図
【図４】サッシの取り替え手順を示す斜視図
【図５】サッシの取り替え手順を示す斜視図
【図６】サッシの取り替え手順を示す斜視図
【図７】従来のサッシ設置構造を示す一部切欠き斜視図
【符号の説明】
【００２６】
１      サッシ枠
１Ａ    縦枠部材
１Ｂ    縦枠部材
１Ｃ    上枠部材
１Ｄ    下枠部材
２      建物開口
３      下地枠
【図１】
2008308957.tif 000003
【図２】
2008308957.tif 000004
【図３】
2008308957.tif 000005
【図４】
2008308957.tif 000006
【図５】
2008308957.tif 000007
【図６】
2008308957.tif 000008
【図７】
2008308957.tif 000009